(57)【要約】【課題】複数の種類のシートに対して重送検知機能を有効にするか否か適切に設定できる画像形成装置を提供する。【解決手段】画像形成装置１０１は、水平パス４０を搬送されるシートに画像を形成する画像形成部２０と、水平パス４０を搬送されるシートが複数枚重なって搬送される状態を検知する重送検知処理を行うための重送センサ３０と、を備える。画像形成装置１０１は、シートの種類に対応して、重送検知処理を有効にするか或いは無効にするかが設定される重送検知機能テーブルを備える。画像形成装置１０１は、画像形成に使用するシートの特性に関する用紙設定情報と重送検知機能テーブルとに応じて、画像形成時に重送検知処理を行うか否かを判断する。【選択図】図１
2020097466.tif 000002
【特許請求の範囲】
【請求項１】
搬送パスを搬送されるシートに画像を形成する画像形成手段と、
シートが複数枚重なって搬送される状態を検知する重送検知処理を行うための重送検知手段と、
シートの種類に対応して、前記重送検知処理を有効にするか或いは無効にするかの設定が格納される格納手段と、
画像形成に使用するシートの特性に関する用紙設定情報と前記格納手段に格納された前記設定とに応じて、画像形成時に前記重送検知処理を行うか否かを判断する判断手段と、を備えることを特徴とする、
画像形成装置。
【請求項２】
前記判断手段は、前記用紙設定情報に含まれる該シートの種類と、前記格納手段に格納された前記設定と、を比較して画像形成時に前記重送検知処理を行うか否かを判断することを特徴とする、
請求項１記載の画像形成装置。
【請求項３】
前記判断手段は、前記用紙設定情報に前記重送検知処理を行うか否かの設定情報が含まれる場合に、前記設定情報に基づいて、前記格納手段に格納された前記設定によらずに、画像形成時に前記重送検知処理を行うか否かを判断することを特徴とする、
請求項１又は２記載の画像形成装置。
【請求項４】
前記シートが収容されるトレイと、
前記トレイに前記シートが収容される際に前記用紙設定情報が登録される第１登録手段と、をさらに備えており、
前記判断手段は、前記第１登録手段から前記用紙設定情報を取得することを特徴とする、
請求項１〜３のいずれか１項記載の画像形成装置。
【請求項５】
前記トレイは複数設けられ、
前記第１登録手段は、複数の前記トレイを識別する識別情報に対応付けて前記用紙設定情報が登録され
前記判断手段は、画像形成の指示があると、該指示に応じたトレイの識別情報に対応付けられた用紙設定情報を前記第１登録手段から取得することを特徴とする、
請求項４記載の画像形成装置。
【請求項６】
画像形成に使用することができるシートに関する用紙銘柄情報を予め登録する第２登録手段をさらに備えており、
前記第１登録手段は、前記第２登録手段から選択された前記用紙銘柄情報が前記用紙設定情報として登録されることを特徴とする、
請求項４又は５記載の画像形成装置。
【請求項７】
ユーザからの指示を受け付ける操作手段をさらに備えており、
前記操作手段により受け付けた指示の内容に基づいて前記用紙銘柄情報を生成し、前記第２登録手段に登録する制御手段をさらに備えることを特徴とする、
請求項６記載の画像形成装置。
【請求項８】
前記操作手段は、前記重送検知処理を行うか否かをシートの種類に応じて判断する第１設定、前記重送検知処理を必ず有効にする第２設定、及び前記重送検知処理を必ず無効にする第３設定のいずれかを受け付け、
前記制御手段は、前記用紙銘柄情報に、受け付けた前記第１設定、前記第２設定、及び前記第３設定のいずれかを含ませることを特徴とする、
請求項７記載の画像形成装置。
【請求項９】
前記判断手段は、前記シートを収容するトレイが一つの場合に、画像形成の指示があると、先頭のシートに対して前記重送検知処理を行うか否かを判断し、以降のシートに対しては先頭のシートの判断結果をそのまま引き継ぐことを特徴とする、
請求項１〜８のいずれか１項記載の画像形成装置。
【請求項１０】
前記重送検知手段は、超音波を発信する発信手段及び前記発信手段から発信された前記超音波を受信する受信手段を備え、前記受信手段が受信した前記超音波の強度に応じた受信レベルの検知信号を検知結果として出力することを特徴とする、
請求項１〜９のいずれか１項記載の画像形成装置。
【発明の詳細な説明】
【技術分野】
【０００１】
本発明は、プリンタ、複写機、複合機等のシートに画像を形成する画像形成装置に関する。
【背景技術】
【０００２】
特許文献１の画像形成装置は、複数枚のシートが重なって搬送される重送を検知する機能を有する。この画像形成装置では、重送検知機能が有効又は無効に選択的に設定可能になっている。重送を検知するセンサには、例えば超音波を用いた重送センサがある。超音波を用いた重送センサは、超音波の発信部と受信部とを有する。発信部から出力される超音波を受信部が受信する。受信部が受信した超音波の強度を表す重送センサの検知結果に基づいて、シートの重送が検知される。
【先行技術文献】
【特許文献】
【０００３】
【特許文献１】特開２０１４―１１８２７３号公報
【発明の概要】
【発明が解決しようとする課題】
【０００４】
商業印刷装置等のＰＯＤ（Print On Demand）系エンジンは、普通紙だけでなくＯＨＰ（Overhead Projector）シートやベラム紙等の様々な種類のシートへの画像形成が求められる。しかしながら重送センサは、シートの種類によっては正確な重送検知ができないことがある。これは、超音波がシートを通過する際の減衰率がシートの種類によって異なる特性を示すためである。重送検知機能が有効なときに重送検知が正確に行えない種類のシートが搬送されると、実際には重送が発生していないにもかかわらず重送が発生したと誤検知される可能性がある。重送検知機能が無効のときにシートの重送が発生すると、重送されたシートに画像が形成される可能性があり、ユーザにとって使い勝手が低下する。
【０００５】
本発明は、上記課題に鑑みてなされたものであり、複数の種類のシートに対して重送検知を行うか否かを適切に決定することができる画像形成装置を提供することを主たる目的とする。
【課題を解決するための手段】
【０００６】
本発明の画像形成装置は、搬送パスを搬送されるシートに画像を形成する画像形成手段と、シートが複数枚重なって搬送される状態を検知する重送検知処理を行うための重送検知手段と、シートの種類に対応して、前記重送検知処理を有効にするか或いは無効にするかの設定が格納される格納手段と、画像形成に使用するシートの特性に関する用紙設定情報と前記格納手段に格納された前記設定とに応じて、画像形成時に前記重送検知処理を行うか否かを判断する判断手段と、を備えることを特徴とする。
【発明の効果】
【０００７】
本発明によれば、複数の種類のシートに対して重送検知を行うか否かを適切に設定することができる。
【図面の簡単な説明】
【０００８】
【図１】画像形成装置の構成図。
【図２】コントローラの構成例示図。
【図３】重送センサの説明図。
【図４】操作部の説明図。
【図５】（ａ）〜（ｆ）は、用紙銘柄情報の登録設定処理の説明図。
【図６】（ａ）〜（ｆ）は、用紙設定情報の登録処理の説明図。
【図７】重送検知機能の設定処理を表すフローチャート。
【図８】重送検知機能テーブルの例示図。
【発明を実施するための形態】
【０００９】
本発明の画像形成装置について、図面を参照しながら説明する。
【００１０】
（画像形成装置）
図１は、本実施形態の画像形成装置の構成図である。画像形成装置１０１は、画像が形成されるシートを収容する１以上の給紙トレイ１４を備える。シートは、給紙トレイ１４から給紙され、搬送パスを搬送されながら画像が形成される。搬送パスは、縦パス４１及び水平パス４０を備える。画像形成装置１０１は、給紙トレイ１４から搬送パス（縦パス４１）へシートを１枚ずつ分離給紙するために、ピックアップローラ１５及び分離ローラ１６を備える。ピックアップローラ１５は、給紙トレイ１４からシートを給紙する。分離ローラ１６は、ピックアップローラ１５により給紙されたシートを１枚ずつ分離する。縦パス４１には、縦パスローラ１７が設けられる。縦パスローラ１７は、分離ローラ１６により搬送されてきたシートを水平パス４０へ搬送する。
【００１１】
水平パス４０には、レジストローラ１１が設けられる。シートの搬送方向において、レジストローラ１１の上流には、搬送センサ３１と重送センサ３０とが設けられる。搬送センサ３１は、搬送されるシートを検知する。重送センサ３０は、シートが複数枚重なって搬送される重送状態が発生しているか否かを検知するために用いられる。重送センサ３０は超音波を用いて重送を検知する。
【００１２】
シートは、停止しているレジストローラ１１に突き当てられることにより、シートの搬送方向に対するシートの斜行が補正され、転写のタイミングに合わせてレジストローラ１１により搬送される。シートの搬送方向においてレジストローラ１１の下流側には、搬送センサ３２が設けられる。搬送センサ３２は、水平パス４０を搬送されるシートを検知する。搬送センサ３１及び搬送センサ３２の検知結果に応じて、シートの搬送タイミングや搬送速度が調整される。水平パス４０には、シートの搬送方向において搬送センサ３２の下流側には、順に、二次転写部２１、定着器１２、及び排出ローラ１３が設けられる。
【００１３】
画像形成は、画像形成部２０により行われる。画像形成部２０は、それぞれ異なる色のトナー像が形成されるドラム２２〜２５及び中間転写体２６を備える。中間転写体２６はドラム２２〜２５に形成された各色のトナー像が重畳するように順次転写される。重畳して転写されることで、中間転写体２６にはフルカラーのトナー像が形成される。フルカラーのトナー像は、中間転写体２６の回転により二次転写部２１へ搬送される。
【００１４】
レジストローラ１１は、二次転写部２１にフルカラーのトナー像が搬送されるタイミングに合わせてシートを二次転写部２１へ搬送する。二次転写部２１は、中間転写体２６に形成されたトナー像をシートに転写する。トナー像が転写されたシートは、二次転写部２１から定着器１２へ搬送される。定着器１２は、トナー像が転写されたシートを加熱及び加圧することで、シートにトナー像を定着させる。定着器１２は、トナー像が定着したシートを排出ローラ１３へ搬送する。排出ローラ１３は、トナー像が定着したシート（成果物）を画像形成装置１０１の機外へ排出する。
【００１５】
このような画像形成装置１０１は、ユーザインタフェースとなる操作部３０６を備える。操作部３０６は、各種キーボタンやタッチパネル等の入力装置と、ディスプレイやスピーカ等の出力装置とを組み合わせて構成される。操作部３０６は、入力装置によりユーザの操作を受け付ける。操作部３０６は、画像形成装置１０１の動作状態等の情報をディスプレイに表示し、警告音等をスピーカから出力する。
【００１６】
（コントローラ）
図２は、画像形成装置１０１の動作を制御するコントローラの構成例示図である。コントローラは、プリンタ制御部９００を備える。プリンタ制御部９００には、重送センサ３０、画像信号制御部９０７、操作表示制御部９０６、及び外部インタフェース（Ｉ／Ｆ）９０４が接続される。
【００１７】
プリンタ制御部９００は、ＣＰＵ（Central Processing Unit）９０１、ＲＯＭ（Read Only Memory）９０２、及びＲＡＭ（Random Access Memory）９０３を備える情報処理装置である。ＣＰＵ９０１は、ＲＯＭ９０２に格納された制御プログラムを、ＲＡＭ９０３を作業領域に用いて実行することで画像形成装置１０１の動作を制御する。
【００１８】
外部Ｉ／Ｆ９０４は、外部装置であるコンピュータ９０５との間の通信インタフェースである。画像形成装置１０１は、外部Ｉ／Ｆ９０４を介してコンピュータ９０５との間でデータの送受信を行うことができる。例えば画像形成装置１０１は、外部Ｉ／Ｆ９０４によりコンピュータ９０５から印刷ジョブ等のジョブを受け付ける。
【００１９】
画像信号制御部９０７は、外部Ｉ／Ｆ９０４を介してコンピュータ９０５から取得した印刷ジョブに含まれる印刷データに対し、各種処理を行うことでビデオ信号を生成する。画像信号制御部９０７は、生成したビデオ信号を画像形成部２０へ送信する。画像形成部２０は、ビデオ信号に基づいて画像形成処理を行うことになる。
【００２０】
操作表示制御部９０６は、プリンタ制御部９００と操作部３０６との間の通信制御を行う。操作表示制御部９０６は、操作部３０６が入力装置により受け付けた操作に応じた指示等をプリンタ制御部９００に入力する。操作表示制御部９０６は、プリンタ制御部９００の制御により、操作部３０６のディスプレイへの表示制御を行う。
【００２１】
（重送検知）
図３は、重送センサ３０の説明図である。重送センサ３０は、搬送パス（水平パス４０）を構成する２枚のガイド板４０２ａ、４０２ｂの間を搬送されるシートの重送を検知する。本実施形態の重送センサ３０は、超音波センサで構成され、発信部４０１ａ及び受信部４０１ｂを備える。受信部４０１ｂは、水平パス４０を挟んで発信部４０１ａに対して対向配置される。
【００２２】
発信部４０１ａは、例えば図示しない電力増幅回路等を介してプリンタ制御部９００に接続される。プリンタ制御部９００は、所定周波数のパルス信号を出力する。パルス信号は、電力増幅回路により増幅されて発信部４０１ａに入力される。発信部４０１ａは、電力増幅回路から取得するパルス信号により駆動されて超音波を発信する。
【００２３】
受信部４０１ｂは、例えば図示しない出力増幅回路及び整流平滑回路等を介してプリンタ制御部９００に接続される。受信部４０１ｂは、発信部４０１ａから受信した超音波の強度に応じたレベルの検知信号を出力する。検知信号は、出力増幅回路により増幅され、且つ整流平滑回路により整流されて、プリンタ制御部９００のＣＰＵ９０１に入力される。ＣＰＵ９０１は、検知信号に基づいて重送を検知する。例えば、検知信号が表す受信した超音波の強度（受信レベル）が、重送を判断するための閾値以下の場合に、ＣＰＵ９０１は、シートが重送されていると判断する。シートが重送されていると判断したＣＰＵ９０１は、操作表示制御部９０６を介して操作部３０６により重送の発生をユーザに報知する。このような重送検知処理は、画像形成処理の間、繰り返し行われる。
【００２４】
（操作部）
図４は、操作部３０６の説明図である。操作部３０６は、入力装置として置数設定等を行うためのテンキー６０１、ジョブを開始するためのスタートキー６０２、ジョブを中断するためのストップキー６０３、ＩＤキー６１３、クリアキー６１５、及びリセットキー６１６を備える。操作部３０６は、入力装置と同じ面に出力装置としてディスプレイ（表示部６２０）が設けられる。表示部６２０は、タッチパネルを構成しており、画面上にソフトキーを生成可能である。
【００２５】
本実施形態の画像形成装置１０１は、ユーザが頻繁に画像形成処理に使用するシートの設定を用紙銘柄情報として予め登録可能とした用紙設定機能を備える。このような設定は、ユーザが操作部３０６の操作することで行われる。例えば、ユーザが図４の表示部６２０に示す初期画面の「用紙銘柄設定」ボタンを選択することで、表示部６２０に用紙銘柄情報の設定画面が表示される。
【００２６】
（用紙銘柄情報）
画像形成に使用するシートに関する情報（用紙銘柄情報）の登録設定する処理について説明する。図５は、用紙銘柄情報の登録設定処理の説明図である。登録された用紙銘柄情報は、ＲＡＭ９０３に格納される。
【００２７】
図５（ａ）は、初期画面からユーザが「用紙銘柄設定」ボタンを選択した状態を示す。「用紙銘柄設定」ボタンが選択されることで、用紙銘柄情報の登録設定処理が開始される。「用紙銘柄設定」ボタンが選択されると、ＣＰＵ９０１は、図５（ｂ）に示す用紙銘柄設定画面を表示部６２０に表示させる。用紙銘柄設定画面では、ユーザが予め画像形成装置１０１に登録しているシートの用紙銘柄情報の一覧が表示される。予め登録されているシートの用紙銘柄情報を変更する場合、ユーザは、該当する「ユーザ登録用紙」を選択する。ユーザ登録用紙を新規作成する場合、ユーザは、「新規作成」ボタンを押下する。
【００２８】
ここでは、ユーザは、例えば、用紙銘柄設定画面の最上位に表示されたユーザ登録用紙を選択する。ユーザ登録用紙が選択されることで、ＣＰＵ９０１は、図５（ｃ）に示す設定項目一覧画面を表示部６２０に表示させる。設定項目一覧画面には、シートに対して設定可能な項目の一覧が表示される。図５（ｃ）の例では、図５（ｂ）で選択されたユーザ登録用紙は、シートの種類（メディア）に普通紙が設定されていることを示している。設定項目一覧画面の各項目の変更は、ユーザが該当する項目の「変更」ボタンを押下することで行われる。ユーザ登録用紙の新規作成の場合には、設定項目一覧画面の各項目にはデフォルト値が表示され、ユーザが各項目を操作部３０６により設定する。
【００２９】
メディアを変更する場合、ユーザは「メディア」の項目の「変更」ボタンを押下する。「変更」ボタンが押下されることで、ＣＰＵ９０１は、図５（ｄ）に示すメディア選択画面を表示部６２０に表示させる。メディア選択画面は、設定可能なメディアの一覧を表示する。ユーザは、メディア選択画面からメディアを選択することができる。メディアが選択されると、表示部６２０の表示は図５（ｃ）の設定項目一覧画面に戻る。
【００３０】
ユーザは、重送検知機能の設定を変更したい場合に、設定項目一覧画面の「重送検知」の項目の「変更」ボタンを押下する。「変更」ボタンが押下されることで、ＣＰＵ９０１は、図５（ｆ）に示す重送検知機能の設定画面を表示部６２０に表示させる。重送検知機能の設定画面は、「自動」ボタン、「ＯＮ」ボタン、及び「ＯＦＦ」ボタンの３つのボタンが選択可能である。
【００３１】
「自動」ボタンが選択される場合、ＣＰＵ９０１は、重送検知機能を有効にするか、或いは無効にするかの判断を重送検知機能テーブルに基づいて行う。重送検知機能テーブルには、メディア毎に重送検知機能を有効にするか否かを示すデータが予め格納されている。このデータは、シートの種類（メデイア）が重送検知を正確に行えるメディアであるか否かにより、重送検知機能を有効にするか否かが設定される。「ＯＮ」ボタンが選択される場合、ＣＰＵ９０１は、重送検知機能テーブルに拘わらず必ず重送検知機能を有効にする。「ＯＦＦ」ボタンが選択される場合、ＣＰＵ９０１は、重送検知機能テーブルに拘わらず必ず重送検知機能を無効にする。重送検知機能を有効にするか無効にするかの判断処理（重送検知機能の設定処理）の詳細は後述する。
【００３２】
（用紙設定情報）
ユーザは、給紙トレイ１４に収容したシートの特性に関する用紙設定情報を操作部３０６により画像形成装置１０１に登録する必要がある。図６は、用紙設定情報の登録処理の説明図である。この処理は、例えば給紙トレイ１４にシートを収容する際に行われる。登録された用紙設定情報は、給紙トレイを識別する識別情報に対応付けてＲＡＭ９０３に格納される。識別情報により、例えば給紙トレイが複数設けられる備える画像形成装置の場合に、どの給紙トレイに収容されたシートの用紙設定情報であるかが判別できる。
【００３３】
図６（ａ）は、初期画面からユーザが「用紙設定」ボタンを選択した状態を示す。「用紙設定」ボタンが選択されると、ＣＰＵ９０１は、図６（ｂ）に示す用紙設定画面を表示部６２０に表示させる。用紙設定画面では、簡易設定を行うのか、或いはユーザが予め登録した登録用紙の用紙銘柄情報から設定するのかが、ユーザにより選択される。
【００３４】
「簡易設定」ボタンが選択された場合、図６（ｃ）〜図６（ｅ）の手順に従ってシートの用紙設定情報の設定が行われる。なお、簡易設定でシートの用紙設定情報の設定が行われる場合、重送検知機能は「自動」に設定され、シートの種類（メディア）と重送検知機能テーブルとに基づいて重送検知を行うか否かが判断される。
【００３５】
「簡易設定」ボタンが選択されると、ＣＰＵ９０１は、図６（ｃ）に示す表面性の設定画面を表示部６２０に表示させる。この画面ではシートの表面性（種類）が設定される。シートの表面性が設定されると、ＣＰＵ９０１は、図６（ｄ）の坪量の設定画面を表示部６２０に表示させる。この画面ではシートの坪量が設定される。坪量が設定されると、ＣＰＵ９０１は、図６（ｅ）の用紙サイズの設定画面を表示部６２０に表示させる。この画面ではシートのサイズが設定される。シートのサイズの設定が終了することで、一連のシートの用紙設定情報の簡易設定が終了する。
【００３６】
図６（ｂ）の画面で「登録用紙」ボタンが選択された場合、ＣＰＵ９０１は、図６（ｆ）の用紙銘柄設定画面を表示部６２０に表示させる。この画面では、ユーザが予め画像形成装置１０１に登録した用紙銘柄情報が表示される。ユーザが用紙銘柄情報の一覧の中から設定する銘柄を選択することで、シートの用紙設定情報の設定が終了する。なお、登録用紙の用紙銘柄情報からシートの用紙設定情報の設定が行われる場合、重送検知機能は用紙銘柄情報の重送検知機能の設定内容（図５（ｆ）での設定）に基づいて設定される。
【００３７】
以上、給紙トレイ１４に収容されたシートの用紙設定情報の登録処理について説明したが、画像形成装置１０１が複数の給紙トレイを備える場合、給紙トレイ毎に上記のようなシートに関する用紙設定情報の登録処理が行われる。
【００３８】
（重送検知機能の設定処理）
図７は、重送検知機能の設定処理を表すフローチャートである。この処理により、給紙トレイ１４に収容されたシートに対して、搬送中に重送検知を行うか否かが判断される。
【００３９】
ＣＰＵ９０１は、操作部３０６のスタートキー６０２が押下されることでジョブの開始が指示されると、該ジョブで使用されるシートの１枚分の用紙設定情報を取得する（Ｓ１０００）。用紙設定情報は、ジョブで実際に使用されるシートに関する情報である。ＣＰＵ９０１は、ジョブで指示された給紙トレイに対応付けられた用紙設定情報をＲＡＭ９０３から取得する。用紙設定情報は、上記の通り坪量、サイズ、メディア、重送検知の設定情報等を含む。ＣＰＵ９０１は、用紙設定情報に含まれる重送検知の設定情報が「自動」であるか否かを判断する（Ｓ１００１）。
【００４０】
重送検知の設定情報が「自動」である場合（Ｓ１００１：Y）、ＣＰＵ９０１は、用紙設定情報に含まれるメデイアと図８に例示する重送検知機能テーブルとの比較を行う（Ｓ１００２）。重送検知機能テーブルは、予めＲＡＭ９０３に格納される。重送検知機能テーブルは、メディアに対応して重送検知機能を有効にするか、或いは無効にするかの設定を示すデータが格納される。重送検知機能テーブルは、重送センサ３０から発信された超音波がシートを通過する際の減衰率の特性に応じて設定されている。重送検知機能テーブルは、重送検知を正確に行うことができるメディアに対しては「有効」が設定され、重送検知を誤検知する可能性があるメディアに対しては「無効」が設定されている。
【００４１】
メディアと重送検知機能テーブルとの比較の結果、シートの種類が重送検知機能の有効なメディアである場合（Ｓ１００３：有効）、ＣＰＵ９０１は、画像形成時にシートに対する重送検知を行うと判断する（Ｓ１００４）。シートの種類が重送検知機能の無効なメディアである場合（Ｓ１００３：無効）、ＣＰＵ９０１は、画像形成時にシートに対する重送検知を行わないと判断する（Ｓ１００５）。
【００４２】
用紙設定情報に含まれる重送検知の設定情報が「自動」ではない場合（Ｓ１００１：N）、ＣＰＵ９０１は、重送検知の設定情報が「ＯＮ」であるか、或いは「ＯＦＦ」であるかを確認する（Ｓ１００６）。重送検知の設定情報が「ＯＮ」の場合（Ｓ１００６：ON）、ＣＰＵ９０１は、画像形成時にシートに対する重送検知を行うと判断する（Ｓ１００７）。重送検知の設定情報が「ＯＦＦ」の場合（Ｓ１００６：OFF）、ＣＰＵ９０１は、画像形成時にシートに対する重送検知を行わないと判断する（Ｓ１００８）。ＣＰＵ９０１は、Ｓ１００６の処理では重送検知機能テーブルの内容は参照せずに、重送検知の設定情報のみで重送検知を行うか否かを判断することになる。
【００４３】
重送検知を行うか否かの判断を行ったＣＰＵ９０１は、次のシートの有無を判断する（Ｓ１００９）。この判断は、ジョブが継続されるか否かにより行われる。次のシートがある場合（Ｓ１００９：有）、ＣＰＵ９０１は、Ｓ１０００以降の処理を最終シートに対する処理が終了するまで繰り返し実行する。即ち、シート１枚ごとに重送検知を行うか否かが決定される。次のシートがない場合（Ｓ１００９：無）、ＣＰＵ９０１は、重送検知機能の設定処理を終了する。
【００４４】
以上のように重送検知を行うか否かの設定として「自動」、「ＯＮ」、「ＯＦＦ」が設定可能であり、複数のメディアに対して重送検知を行うか否かが設定可能である。そのために重送検知ができないメディアに対して重送検知機能が有効になって、重送を誤検知することを防止することができる。
【００４５】
具体的には、重送検知の設定情報が「自動」に設定されている場合、重送検知機能テーブルに基づいて、メディア毎（シートの種類毎）に重送検知機能の実行可否が自動的に決定される。そのためにユーザは、シートの特性（種類）を意識することなく重送検知機能を使用することができる。重送検知の設定情報が「ＯＮ」又は「ＯＦＦ」に設定されている場合、重送検知の設定情報に基づいて、メディアによらずに強制的に重送検知機能の実行可否が判断される。
【００４６】
そのために、重送検知機能テーブルで想定するメディア毎の特性とは異なる特性のシートに対して、重送検知機能が適切に設定される。例えば重送検知機能テーブルでは重送検知機能が無効に設定されているメディア（ベラム、ＯＨＰ）であっても、実際に搬送するシートによっては重送の誤検知の可能性がない場合がある。逆に、重送検知機能テーブルでは重送検知機能が有効に設定されているメディアであっても、実際に搬送するシートによっては重送の誤検知の可能性がある場合がある。ユーザは、このような実際に搬送するシートの特性に応じて強制的に重送検知機能を有効或いは無効にすることができる。
【００４７】
図７の処理では、ジョブに含まれるすべてのシートに対して重送検知機能の有効或いは無効が判断されている。本実施形態の画像形成装置１０１は、給紙トレイ１４を一つしか備えていない。一つの給紙トレイ１４に収容されるシートの種類は、通常一種類である。そのために、ジョブの先頭のシートに対する重送検知機能の有効或いは無効を判断し、以降のシートに対しては先頭のシートの判断結果をそのまま引き継いでもよい。これにより、ＣＰＵ９０１は、図７の処理を１回行うだけでよい。
【００４８】
画像形成装置１０１が複数の給紙トレイを備える場合には、給紙トレイ毎に異なる種類のシートが収容される可能性がある。この場合、同一ジョブで異なる種類のシートが混載されることがある。この場合には、図７の処理がジョブに含まれるすべてのシートに対して行われる。なお、次のシートを給送する給紙段が前のシートと同じであるならば、前のシートに対する重送検知機能の有効／無効をそのまま採用してもよい。
【００４９】
以上のように本実施形態の画像形成装置１０１は、自動的に、重送検知を行える種類のシートに対しては重送検知を行い、重送検知を行えない種類のシートに対しては重送検知機能を無効にすることができる。その結果、画像形成装置１０１は、重送による不良成果物の発生を防止しつつ、重送の誤検知を抑制することができる。また、本実施形態の画像形成装置１０１は、様々な特性のシートを想定して重送検知機能の有効或いは無効を手動で設定可能とすることで、ユーザにとって使い勝手のよいものとなっている。
【図１】
2020097466.tif 000003
【図２】
2020097466.tif 000004
【図３】
2020097466.tif 000005
【図４】
2020097466.tif 000006
【図５】
2020097466.tif 000007
【図６】
2020097466.tif 000008
【図７】
2020097466.tif 000009
【図８】
2020097466.tif 000010